(57)【要約】【課題】作業台を床面に安定して接地できるようにすることを目的とする。【解決手段】可搬式作業台１の脚部３３ａに取り付けられ、床面と接地する脚座１００ａであって、前記脚座１００ａは、床面に形成された、径７５ｍｍ以上の孔２００に挿入できない大きさの接地部１３０を有することを特徴とする。【選択図】図３
2019027061.tif 000002
【特許請求の範囲】
【請求項１】
作業台の脚部に取り付けられ、床面と接地する脚座であって、
前記脚座は、
床面に形成された、径７５ｍｍ以上の孔に挿入できない大きさの接地部を有することを特徴とする脚座。
【請求項２】
前記接地部は、
更に、径７５ｍｍ以上であって径１５０ｍｍ以下の孔に挿入できない大きさであることを特徴とする請求項１に記載の脚座。
【請求項３】
前記接地部は、
更に、径７５ｍｍ以上であって径１００ｍｍ以下の孔に挿入できない大きさであることを特徴とする請求項１または２に記載の脚座。
【請求項４】
前記接地部が前記床面に接地された状態において前記脚座を鉛直方向から見たときに、
前記接地部は、
前記孔を隙間なく塞ぐ形状であることを特徴とする請求項１ないし３の何れか１項に記載の脚座。
【請求項５】
前記接地部は、
水平方向の長さのうち最も長い長さが前記孔の径よりも大きいことを特徴とする請求項１ないし４の何れか１項に記載の脚座。
【請求項６】
前記脚座は、
前記作業台の脚部に取り付けられる取付部を有し、
前記取付部は、前記接地部の上側に位置することを特徴とする請求項１ないし５の何れか１項に記載の脚座。
【請求項７】
前記接地部が前記床面に接地された状態において、
前記取付部は、
水平方向に沿った幅方向の長さよりも前後方向の長さが長く、
前記接地部は、
水平方向に沿った前後方向の長さよりも幅方向の長さが長いことを特徴とする請求項６に記載の脚座。
【請求項８】
脚部に取り付けられ、床面に接地する脚座を備えた作業台であって、
前記脚座は、
前記床面に形成された、径７５ｍｍ以上の孔に挿入できない大きさの接地部を有することを特徴とする作業台。
【発明の詳細な説明】
【技術分野】
【０００１】
本発明は、脚座および作業台に関する。
【背景技術】
【０００２】
可搬式作業台や脚立式作業台等の作業台を床面に安定して接地するために、従来から作業台の脚部の下端に脚座を取り付けた作業台が知られている。特許文献１には、４つの脚にそれぞれゴム筒を被嵌固定した作業台が開示されている。
【先行技術文献】
【特許文献】
【０００３】
【特許文献１】実開平７−１４１００号公報
【発明の概要】
【発明が解決しようとする課題】
【０００４】
このような作業台を、例えば建築工事の作業現場で使用するには脚座を床面に完全に接地させることが必要である。しかしながら、作業現場の床面は工事途中であるために脚座を床面に接地できない障害が多数、存在する。特に、床面にスリーブという開口部材の孔が存在する場合がある。スリーブは、コンクリートの床等に給排水の配管や電気関連の配線等を貫通させるために予め開けておく孔である。
ここで、作業台を接地させようとする作業者がスリーブの孔に気付かずに脚座を孔の上に配置してしまうことが想定される。このような状態では、脚座がスリーブの孔に挿入されてしまい、作業台を床面に安定して接地することができないという問題がある。
【０００５】
本発明は、上述したような問題点に鑑みてなされたものであり、作業台を床面に安定して接地できるようにすることを目的とする。
【課題を解決するための手段】
【０００６】
本発明の脚座は、作業台の脚部に取り付けられ、床面と接地する脚座であって、前記脚座は、床面に形成された、径７５ｍｍ以上の孔に挿入できない大きさの接地部を有することを特徴とする。
本発明の作業台は、脚部に取り付けられ、床面に接地する脚座を備えた作業台であって、前記脚座は、前記床面に形成された、径７５ｍｍ以上の孔に挿入できない大きさの接地部を有することを特徴とする。
【発明の効果】
【０００７】
本発明によれば、作業台を床面に安定して接地することができる。
【図面の簡単な説明】
【０００８】
【図１Ａ】作業台の構成を示す斜視図である。
【図１Ｂ】作業台の構成を示す正面図である。
【図１Ｃ】作業台の構成を示す平面図である。
【図２Ａ】脚座の側面図である。
【図２Ｂ】脚座の一部を拡大した拡大図である。
【図２Ｃ】脚座の底面図である。
【図２Ｄ】脚座の背面図である。
【図２Ｅ】脚座の平面図である。
【図２Ｆ】脚座の平面図である。
【図２Ｇ】脚座の断面図である。
【図２Ｈ】脚座の断面図である。
【図３】脚座の接地部と孔との関係を示す図である。
【発明を実施するための形態】
【０００９】
以下、本実施形態に係る脚座および作業台について図面を参照して説明する。
まず、本実施形態に係る作業台としての可搬式作業台１について説明する。
図１Ａは、可搬式作業台１の斜視図である。図１Ｂは、可搬式作業台１の正面図である。図１Ｃは、可搬式作業台１の平面図である。なお、図１Ｂに示す正面図において、左右方向を幅方向といい、幅方向における中央側を内側といい、中央から右側および左側を外側という。また、図１Ｃに示すように、一点鎖線に近づく側を前側といい、一点鎖線から離れる側を後側というものとする。なお、図１Ｃに示す一点鎖線は、可搬式作業台１の前後方向の長さにおける中心線である。
【００１０】
可搬式作業台１は、天板１０と、囲い部２０と、主脚３０と、ステー５０と、脚座１００とを備える。
天板１０は、作業者が可搬式作業台１で作業するときの足場となる。天板１０は、板状の部材であり、鉛直方向から見たときに前後方向に長い矩形状である。
【００１１】
囲い部２０は、作業者が天板１０上で作業しているときに、作業者が可搬式作業台１から転落しないように作業者の周囲を取り囲む。囲い部２０は、４つの支柱２１と、一対の長手側桟部材２２と、一対の短手側桟部材２３とを有する。４つの支柱２１は、それぞれ天板１０の四隅に立設される。一対の長手側桟部材２２は、天板１０の４辺のうち長辺の上側で、支柱２１間に架け渡される。なお、長手側桟部材２２は、長手方向の略中央で分割して構成される。一対の短手側桟部材２３は、天板１０の４辺のうち短辺の上側で、支柱２１間に架け渡される。なお、一対の短手側桟部材２３は、支柱２１に接続された状態から離脱させることで、作業者は主脚３０と天板１０との間を行き来することができる。
また、一対の長手側桟部材２２および一対の短手側桟部材２３は支柱２１に沿った状態になるように折り畳むことができる。更に、支柱２１は主脚３０に沿った状態になるように折り畳むことができる。
【００１２】
主脚３０は、天板１０を水平な状態に支持する。主脚３０は、第１主脚３１と第２主脚３２とを有する。第１主脚３１と第２主脚３２はそれぞれ同様の構成であり、ここでは第１主脚３１について説明する。
第１主脚３１は、脚部３３ａと、脚部３３ｂと、複数の桟部材３６とを有する。
図１Ｂに示すように、脚部３３ａと脚部３３ｂとは可搬式作業台１の幅方向における中心である中心線Ｌｃを基準にして左右対称な構成である。脚部３３ａ、３３ｂはそれぞれ、上部が天板１０の角部に接続され、下部が可搬式作業台１の床面（接地面）まで延びる棒状の部材である。脚部３３ａ、３３ｂは、天板１０から可搬式作業台１の床面に向かうにしたがって、互いの距離が広がるように床面に対して配置される。
【００１３】
脚部３３ａおよび脚部３３ｂはそれぞれ、支柱脚３４と伸縮脚３５とを備える。支柱脚３４は、脚部３３の上部を構成する棒状の部材であって中空である。支柱脚３４の上側の端部が天板１０に接続する。伸縮脚３５は、支柱脚３４の下側の端部から支柱脚３４に沿って下側に伸びる棒状の部材である。伸縮脚３５の上部は、支柱脚３４の内部に嵌まり込む。支柱脚３４の内部に嵌まり込む伸縮脚３５の長さは調整可能であり、支柱脚３４の内部に入り込む伸縮脚３５の長さを調整することで、脚部３３ａおよび脚部３３ｂの全体の長さを調整できる。図１Ｂおよび図１Ｃでは、伸縮脚３５を最も長くなるように調整した状態でロック部材３７によりロックされている。
【００１４】
桟部材３６は、脚部３３ａと脚部３３ｂとの間に架け渡される。桟部材３６は、棒状の部材であり、第１主脚３１の強度を向上させる。また、桟部材３６は、作業者が天板１０に昇降するときの踏み桟となる。桟部材３６は、作業者が昇降しやすいように上下に間隔を空けて脚部３３ａおよび脚部３３ｂに固定される。
ステー５０は、天板１０と第１主脚３１、および、天板１０と第２主脚３２とを接続する。また、ステー５０は、天板１０と第１主脚３１との角度、および、天板１０と第２主脚３２との角度を所定の角度にして可搬式作業台１を補強する。
【００１５】
第１主脚３１および第２主脚３２は畳むことが可能である。第２主脚３２を、第２主脚３２と天板１０との接続部を中心に、第２主脚３２の桟部材３６が天板１０の下側の面に近づくように回転させる。また、第１主脚３１を、第１主脚３１と天板１０との接続部を中心に、第１主脚３１の桟部材３６が天板１０の下側の面に近づくように回転させる。こうして、第１主脚３１および第２主脚３２が畳まれた状態になり、作業者は可搬式作業台１を容易に搬送することができる。
なお、天板１０、第１主脚３１、第２主脚３２およびステー５０は、主としてアルミニウム合金等の金属製の材料で形成される。また、囲い部２０のうち強度が必要な部材はアルミニウム合金等の金属製の材料で形成され、強度が必要ではない部材は合成樹脂で形成される。
【００１６】
脚座１００はそれぞれ、第１主脚３１の脚部３３ａ、３３ｂの下端および第２主脚３２の脚部３３ａ、３３ｂの下端に取り付けられる。脚座１００は可搬式作業台１が床面に対して滑らないようにすると共に、床面に形成された所定の径（内径）以上の孔に挿入できような大きさに形成されている。
本実施形態の脚座１００は、２種類の脚座１００ａ、１００ｂを備える。脚座１００ａは、第１主脚３１および第２主脚３２のそれぞれの脚部３３ａに取り付けられる。脚座１００ｂは、第１主脚３１および第２主脚３２のそれぞれの脚部３３ｂに取り付けられる。脚座１００ａ、１００ｂは可撓性がある材料、例えば軟質塩化ビニールで形成される。ただし、脚座１００ａ、１００ｂは合成ゴムや合成樹脂等の他の材料で形成してもよい。脚座１００ａと脚座１００ｂとは、図１Ｂに示す中心線Ｌｃを基準にして対称な構成である。
【００１７】
次に、図２Ａ〜図２Ｆを参照して、脚座１００ａについて説明する。
図２Ａは、脚座１００ａの側面図であり、図１Ｂに示すＡ方向（内側）から見た図である。図２Ｂは、図２Ａの一部を拡大した拡大図である。図２Ｃは、脚座１００ａの底面図である。図２Ｄは、脚座１００ａの背面図であり、図２ＡのＢ方向から見た図である。図２Ｅは、脚座１００ａの平面図である。図２Ｆは、脚部３３ａ（伸縮脚３５）を挿入する方向から見た脚座１００ａの平面図である。図２Ｇは、図２ＦのＣ点−Ｃ’点を通るように鉛直方向に切断した断面図である。図２Ｈは、図２ＦのＥ点−Ｅ’点を通るように鉛直方向に切断した断面図である。
【００１８】
脚座１００ａは、取付部１１０と、接地部１３０と、リブ部１５０とを有する。
まず、取付部１１０について説明する。
取付部１１０は、脚座１００ａを脚部３３ａに取り付けるための部位である。取付部１１０は、接地部１３０から上側に向かって伸びる略ブロック状である。具体的には、取付部１１０は、上側が開口する筒状に形成され、下側が接地部１３０によって閉塞される。図２Ａに示すように内側から見たときに、取付部１１０は上側になるにしたがって前側に傾くように傾斜する。すなわち、取付部１１０は接地部１３０から矢印Ｄ１方向に延出する。また、図２Ｄに示すように、取付部１１０は上側になるにしたがって内側に傾くように傾斜する。すなわち、取付部１１０は接地部１３０から矢印Ｄ２方向に延出する。
【００１９】
取付部１１０は、前側壁１１１と、後側壁１１２と、内側壁１１３と、外側壁１１４と、底部１１５とを有する。前側壁１１１と、後側壁１１２と、内側壁１１３と、外側壁１１４とによって囲まれた空間は、脚部３３ａの伸縮脚３５が挿入される取付空間１１６である。
【００２０】
図２Ｆに示すように、前側壁１１１および後側壁１１２は取付空間１１６を挟んで対向し、互いに平行である。前側壁１１１および後側壁１１２は、幅方向の略中央が取付空間１１６側に向かって互いに近づく方向に突出する突出部１１７を有する。内側壁１１３および外側壁１１４は取付空間１１６を挟んで対向し、互いに平行である。また、前側壁１１１と後側壁１１２との距離は、内側壁１１３と外側壁１１４との距離よりも長い。したがって、取付部１１０は水平方向に沿った幅方向よりも水平方向に沿った前後方向に長く形成されている。また、内側壁１１３および外側壁１１４はそれぞれ、幅方向に挿通孔１１８が形成される。挿通孔１１８および取付空間１１６に挿入された伸縮脚３５に図示しないボルトを挿通させることで、ボルトを介して伸縮脚３５が取付部１１０に固定される。
【００２１】
ここで、取付空間１１６に挿入される伸縮脚３５について説明する。
図２Ｆには、伸縮脚３５の断面形状をグレーで示している。伸縮脚３５は、図２Ｆにより示す断面が、伸縮脚３５の延出方向に沿って連続する筒状である。伸縮脚３５は、例えば、アルミニウム合金を押し出し成形することによって形成され、伸縮脚３５の延出方向に対して略直交する方向に切断されることで形成される。
図２Ｆに示すように、伸縮脚３５の断面形状は、前側壁１１１と、後側壁１１２と、内側壁１１３と、外側壁１１４とからなる取付部１１０の形状を略縮小させた形状であり、伸縮脚３５が取付部１１０の取付空間１１６内にガタなく嵌め込まれる。伸縮脚３５は、前側板３８と、後側板３９と、内側板４０と、外側板４１とを有する。前側板３８および後側板３９が対向し、内側板４０および外側板４１が対向する。前側板３８および後側板３９はそれぞれ、幅方向の略中央が取付部１１０の突出部１１７の形状に合致するように凹んでいる。したがって、伸縮脚３５が取付空間１１６に挿入された状態において、伸縮脚３５の延出する方向は、取付部１１０の延出方向（図２Ａの矢印Ｄ１および図２Ｄの矢印Ｄ２）と一致する。
【００２２】
取付部１１０の説明に戻り、底部１１５は、伸縮脚３５の下端が当接することで伸縮脚３５を支持する。底部１１５は取付部１１０の延出方向あるいは伸縮脚３５の延出方向に対して略直交する面である。底部１１５は、内側壁１１３の取付空間１１６側で前側壁１１１から後側壁１１２までに亘って形成されると共に、外側壁１１４の取付空間１１６側で前側壁１１１から後側壁１１２までに亘って形成される。一方、底部１１５は前側壁１１１の突出部１１７のうち取付空間１１６側および後側壁１１２の突出部１１７のうち取付空間１１６側には形成されない。すなわち、底部１１５は左右に分断されており、中央に接地部１３０側（下側）に向かって凹む肉抜部としての凹部１１９が形成される。
内側壁１１３側の底部１１５が伸縮脚３５のうち内側板４０側の下端を支持し、外側壁１１４側の底部１１５が伸縮脚３５のうち外側板４１側の下端を支持する。
【００２３】
次に、接地部１３０について説明する。
接地部１３０は、脚座１００ａを床面に接地させるための部位である。接地部１３０は取付部１１０の下側に位置しており、取付部１１０と一体で形成される。
本実施形態の接地部１３０は、作業現場の床面に開けられたスリーブの孔に挿入できない大きさに形成される。スリーブには、挿通させる配管や配線のサイズおよび数に応じた複数の種類の大きさが用意されている。一般的に建築工事の床を貫通させるために用いるスリーブとして、径（内径）５０ｍｍ、７５ｍｍ、９０ｍｍ、１００ｍｍ、１２５ｍｍ、１５０ｍｍ、１７５ｍｍ等の種類がある。このような種類のスリーブの孔が床面に存在する場合に、作業者がスリーブに気付かずに脚座１００ａをスリーブの孔の上に配置してしまうことが想定される。
【００２４】
そこで、本実施形態の脚座１００ａの接地部１３０はスリーブの孔に挿入できない大きさに設定されている。
具体的には、接地部１３０は、径７５ｍｍ以上の孔に挿入できない大きさである。ここで、径７５ｍｍ以上に規定するのは、径７５ｍｍの孔は比較的に大きく、例えば従来の脚座では孔に挿入されてしまう虞がある。
更に、接地部１３０は、径７５ｍｍ以上であって径１５０ｍｍ以下の孔に挿入できない大きさであることが好ましい。ここで、径１５０ｍｍ以下の孔に規定するのは、径１５０ｍｍの孔よりも大きい孔はそもそも作業者が気付きやすい大きさであるためである。
更に、接地部１３０は、径７５ｍｍ以上であって径１００ｍｍ以下の孔に挿入できない大きさであることが好ましい。ここで、径１００ｍｍ以下の孔に規定するのは、作業現場では径１００ｍｍよりも大きい孔に蓋を設置するように定めていることが多いためである。
このように、接地部１３０が所定の径の孔に挿入できない大きさを有することで、脚座１００ａの接地部１３０を孔の上に配置したとしても、接地部１３０が孔に挿入されずに孔の周囲の床面に接地することから、可搬式作業台１を安定して接地することができる。
【００２５】
以下、具体的に接地部１３０について説明する。
接地部１３０は、取付部１１０の下側に位置する扁平なブロック状である。接地部１３０は取付部１１０の下側で前後方向および幅方向に広がって形成される。本実施形態の接地部１３０は略矩形状に形成され、前端面１３１と、後端面１３２と、内端面１３３と、外端面１３４と、表面部１３５と、裏面部１３６とを有する。図２Ａに示すように、前端面１３１と後端面１３２とは、上側に向かうほど前側に傾斜する面であって、互いに略平行である。また、図２Ｄに示すように、内端面１３３と外端面１３４とは、上側に向かうほど内側に傾くように傾斜する面であって、互いに略平行である。なお、前端面１３１と、後端面１３２と、内端面１３３と、外端面１３４との境界である角部には曲面が形成される。また、表面部１３５は、平坦な面であって、外側に向かうほど上側に傾斜すると共に、後側に向かうほど上側に傾斜する。したがって、表面部１３５のうち後端面１３２と外端面１３４との角部が最も上側に位置する。
また、内端面１３３と外端面１３４との距離は、前端面１３１と後端面１３２との距離よりも長い。したがって、接地部１３０は水平方向に沿った前後方向よりも水平方向に沿った幅方向に長く形成されている。
【００２６】
また、裏面部１３６は床面に接地する部位であり、複数の突起部１３７を有する。
突起部１３７は、床面に接地した状態で脚座１００ａを水平方向における前後方向のうち、前側に動かすための力が後側に動かすための力よりも小さいように形成される。
図２Ａに示すように、突起部１３７は、先端に向かって斜め後側、すなわち、下側かつ後側に延出するように形成される。突起部１３７の下側の先端の断面は半円状の形状である。また、突起部１３７は前端面１３１から後端面１３２までに複数（例えば１０個）並んで配置される。
【００２７】
突起部１３７の断面形状は何れの位置でも略同形状である。したがって、図２Ｂに示す突起部１３７の側面を参照して、突起部１３７の断面形状を説明する。
突起部１３７は、斜め後側に延出するように形成される。突起部１３７が斜め後側に延出するとは、突起部１３７の中心線Ｌｎが、斜め後側に延出することを表す。中心線Ｌｎは、突起部１３７の断面図を考えたときに、突起部１３７の前側の面１３８ａの端部の任意の点と、この点と同じ高さにある突起部１３７の後側の面１３８ｂの点と、の中間点からなる線である。
【００２８】
また、図２Ｃに示すように、接地部１３０を裏側から見ると、突起部１３７は接地部１３０の内端面１３３から外端面１３４に亘って形成される。ここで、突起部１３７のうち前側および中央側（前側から８本の突起部１３７）は、内端面１３３から外端面１３４に至るまでに後側に凸となる３つの円弧状を経るように形成される。また、突起部１３７のうち内側かつ前側に偏った位置には、水抜き穴１３９が形成される。水抜き穴１３９は、取付部１１０の凹部１１９に連通しており、凹部１１９に溜まった水を外部に排出する。また、突起部１３７のうち後側（後側から２本の突起部１３７）は、内端面１３３から外端面１３４に至るまで直線状である。直線状の突起部１３７の間には、上側に向かって凹む肉抜部としての凹部１４０が形成される。
【００２９】
次に、接地部１３０の大きさとスリーブの孔との関係について説明する。
図３は、図２ＡのＩ−Ｉ線に沿って切断した断面図であって、脚座１００ａのうち接地部１３０を床面に対して鉛直方向から見た図である。また、図３の二点鎖線に示す円２００は、上述したスリーブの径７５ｍｍ以上の孔を示している。
図３に示すように、接地部１３０を鉛直方向から見たときに接地部１３０は円２００と重なり合う。ここでは、接地部１３０は円２００からはみ出すことなく、円２００を隙間なく完全に覆って塞ぐことができる。接地部１３０は、鉛直方向から見たときに前端面１３１と後端面１３２との間の距離（水平方向かつ前後方向の距離）のうち最も長い距離Ｌ１が円２００の直径（孔の径）よりも長くなるように設定されている。また、接地部１３０は、鉛直方向から見たときに内端面１３３と外端面１３４との間の距離（水平方向かつ幅方向の距離）のうち最も長い距離Ｌ２が円２００の直径（孔の径）よりも長くなるように設定されている。また、接地部１３０は、前端面１３１と外端面１３４との角部と、後端面１３２と内端面１３３との角部と、の間の距離（水平方向の距離）のうち最も長い距離Ｌ３が円２００の直径（孔の径）よりも長くなるように設定されている。更に、接地部１３０は、前端面１３１と内端面１３３との角部と、後端面１３２と外端面１３４との角部と、の間の距離（水平方向の距離）のうち最も長い距離Ｌ４が円２００の直径（孔の径）よりも長くなるように設定されている。
【００３０】
なお、距離Ｌ３および距離Ｌ４のうち長い方の距離Ｌｈは、接地部１３０のうち水平方向に最も長い距離に相当する。したがって、距離Ｌｈを少なくとも７５ｍｍよりも大きく設定することで、接地部１３０が径７５ｍｍ以上の孔に挿入されない。なお、距離Ｌｈが大き過ぎると接地部１３０の体積が大きくなり製造コストが増えてしまうことから、距離Ｌｈを２００ｍｍ以下、更には１５０ｍｍ以下にすることができる。
【００３１】
次に、取付部１１０と接地部１３０との関係について説明する。
本実施形態の脚座１００ａは、鉛直方向から見たときに接地部１３０が取付部１１０に対して水平方向において外側に偏って位置する。換言すると、取付部１１０は接地部１３０に対して水平方向において内側に偏って位置する。
ここで、図２Ｈおよび図２Ｇを参照して、接地部１３０が取付部１１０に対して偏って位置する状態を、取付空間１１６に固定された伸縮脚３５を基準にして比較する。
まず、図２Ｈに示すように、伸縮脚３５の内側板４０の下端から水平方向かつ幅方向に向かう内端面１３３までの距離のうち最も長い距離をＬｉｎとする。また、伸縮脚３５の外側板４１の下端から水平方向かつ幅方向に向かう外端面１３４までの距離のうち最も長い距離をＬｏｕｔとする。このとき、距離Ｌｉｎは、距離Ｌｏｕｔよりも短い。ここで、距離Ｌｏｕｔと距離Ｌｉｎとの比は、例えば、０．２〜０．８：１である。このように、接地部１３０は取付部１１０に対して外側に偏って位置する。
接地部１３０が取付部１１０に対して水平方向の外側に偏って位置するということは、脚座１００ａを可搬式作業台１の伸縮脚３５に取り付けたときに、脚座１００ａの接地部１３０が伸縮脚３５よりも外側に張り出すことを意味する。
【００３２】
また、図２Ｇに示すように、伸縮脚３５の前側板３８の下端から水平方向かつ前後方向に沿った前端面１３１までの距離のうち最も長い距離をＬｆとする。また、伸縮脚３５の後側板３９の下端から水平方向かつ前後方向に沿った後端面１３２までの距離のうち最も長い距離をＬｒとする。このとき、距離Ｌｆと距離Ｌｒとの比は、例えば、２〜４：３である。また、距離Ｌｉｎと距離Ｌｆとは略同一である。更に、距離Ｌｆと距離Ｌｒは、距離Ｌｏｕｔよりも短い。このように、接地部１３０は取付部１１０に対して前側あるいは後側には偏らないように位置している。
【００３３】
次に、リブ部１５０について説明する。
リブ部１５０は、脚座１００ａの強度を向上させる部位である。リブ部１５０は複数のリブ１５１から構成される。リブ１５１は板状であって、隣り合うリブ１５１同士が間隔を空けて配置される。リブ１５１は取付部１１０の外周面と接地部１３０の表面部１３５とを結合する。具体的には、取付部１１０の前側壁１１１に結合されたリブ１５１は前側に向かって延び、取付部１１０の後側壁１１２に結合されたリブ１５１は後側に向かって延びる。また、取付部１１０の内側壁１１３に結合されたリブ１５１は幅方向であって内端面１３３側に向かって延び、取付部１１０の外側壁１１４に結合されたリブ１５１は幅方向であって外端面１３４側に向かって延びる。ここで、上述したように距離Ｌｏｕｔは、他の距離に比べて長いことから、取付部１１０の外側壁１１４と接地部１３０の表面部１３５とを結合するリブ１５１は、他のリブに比べて大きく形成される。
【００３４】
脚座１００ａは、以上のように構成される。なお、脚座１００ｂは、中心線Ｌｃにおいて対称な形状であることから説明を省略する。ただし、脚座１００ｂは、必ずしも対称である場合に限られず、本実施形態の脚座１００ｂの機能を発揮できるように適宜、変更することができる。
【００３５】
次に、脚座１００ａを可搬式作業台１に取り付けた場合の作用について説明する。
作業者は、可搬式作業台１の伸縮脚３５のそれぞれに、上述した、径７５ｍｍ以上の孔に挿入できない大きさの接地部１３０を有する脚座１００ａおよび脚座１００ｂを取り付ける。したがって、作業者が可搬式作業台１の脚部３３ａ、３３ｂの何れかを径７５ｍｍ以上の孔の上に配置した場合であっても、脚座１００ａおよび脚座１００ｂが孔に挿入されることを防止できる。具体的には、脚座１００ａあるいは脚座１００ｂが、孔を塞ぐようにして孔の周囲の床面と接地するために可搬式作業台１を安定して接地させることができる。
【００３６】
また、上述したように、接地部１３０が取付部１１０に対して水平方向の外側に偏って位置することから、図１Ｂおよび図１Ｃに示すように、脚座１００ａの接地部１３０は伸縮脚３５よりも外側に張り出す。外側に張り出した接地部１３０は、可搬式作業台１が幅方向に対して外力が付加されたときに、可搬式作業台１が幅方向に倒れないように支持する。すなわち、接地部１３０を所定の径の孔に挿入できないような大きさに形成する場合に、接地部１３０を伸縮脚３５よりも外側に張り出すようにすることで可搬式作業台１の倒れ防止を図ることができる。
【００３７】
また、接地部１３０は取付部１１０に対する外側への張り出しに比べて、前側および後側には張り出していない。このように、接地部１３０が前側および後側に張り出さないようにすることで、必要以上に大きくならないようにすることができ、製造コストを削減することができる。特に、接地部１３０が前側に張り出さないことで、可搬式作業台１を前後方向に移動したときに接地部１３０を容易に作業壁に近づけることができ、作業壁周辺の作業を容易に行うことができる。また、可搬式作業台１を容易に搬送する場合に脚座１００ａ、１００ｂの前側あるいは後側にキャスターを取り付ける場合があり、接地部１３０が前側および後側に張り出さないようにすることで、容易にキャスターを取り付けることができる。
【００３８】
以上、本発明を上述した実施形態により説明したが、本発明は上述した実施形態にのみ限定されるものではなく、本発明の範囲内で変更等が可能である。
本実施形態では、作業台として可搬式作業台１について説明したが、この場合に限られず、脚立式作業台に適用してもよい。脚立式作業台に適用する場合でも、第１主脚３１あるいは第２主脚３２の構成を適用することができる。
また、本実施形態では脚座１００ａ、１００ｂを伸縮脚３５に取り付ける場合について説明したが、この場合に限られない。例えば、伸縮脚３５を備えない脚部３３ａ、３３ｂの場合には脚座１００ａ、１００ｂを支柱脚３４に直接、取り付けてもよい。
【符号の説明】
【００３９】
１：可搬式作業台  ３３ａ、３３ｂ：脚部  ３４：支柱脚  ３５：伸縮脚  １００（１００ａ、１００ｂ）：脚座  １１０：取付部  １３０：接地部  １５０：リブ部
【図１Ａ】
2019027061.tif 000003
【図１Ｂ】
2019027061.tif 000004
【図１Ｃ】
2019027061.tif 000005
【図２Ａ】
2019027061.tif 000006
【図２Ｂ】
2019027061.tif 000007
【図２Ｃ】
2019027061.tif 000008
【図２Ｄ】
2019027061.tif 000009
【図２Ｅ】
2019027061.tif 000010
【図２Ｆ】
2019027061.tif 000011
【図２Ｇ】
2019027061.tif 000012
【図２Ｈ】
2019027061.tif 000013
【図３】
2019027061.tif 000014